(57)【特許請求の範囲】
【請求項１】
取出口を上面に設け、放出する出金貨幣を貯留する出金貨幣貯留部と、
前記出金貨幣貯留部の前記取出口の上方に位置するシャッタを開位置と閉位置との間でスライドさせ、前記出金貨幣貯留部の前記取出口を開閉する開閉制御部と、
前記出金貨幣貯留部の外側に設けた排水溝と、
前記シャッタが前記閉位置に位置しているとき、そのシャッタの周囲に沿って当接する弾性体と、を備え、
前記シャッタは、前記閉位置に位置しているとき、その先端部が前記排水溝の上方に位置する、取引処理装置。
【請求項２】
前記弾性体は、前記シャッタが前記閉位置に位置しているとき、そのシャッタの後端の辺を除く各辺に沿って当接する位置に設けられている、請求項１に記載の取引処理装置。
【請求項３】
前記弾性体は、前記シャッタが前記閉位置に位置しているとき、前記シャッタが当接する辺の少なくとも角部に隙間が設けられている、請求項２に記載の取引処理装置。
【請求項４】
前記シャッタは、前記弾性体に当接する辺に溝が形成されている、請求項２または３に記載の取引処理装置。
【請求項５】
前記シャッタは、後端から先端に向かってその幅が狭くなる形状である、請求項１〜４の何れかに記載の取引処理装置。
【請求項６】
前記シャッタは、先端の辺が後端の辺よりも短い台形形状である、請求項５に記載の取引処理装置。
【請求項７】
前記開閉制御部は、前記シャッタを前記閉位置から前記開位置までスライドさせるとき、所定の位置で一時停止させる、請求項１〜６の何れかに記載の取引処理装置。
【請求項８】
前記開閉制御部は、外部から入力された降水量に係る情報を受け付け、この情報に基づいて、前記シャッタを一時停止させる時間を決定する、請求項７に記載の取引処理装置。
【請求項９】
前記開閉制御部は、前記シャッタを開するとき、前回前記シャッタが前記閉位置に来たときからの経過時間により、前記シャッタを一時停止させる時間を決定する、請求項７または８に記載の取引処理装置。
【発明の詳細な説明】
【技術分野】
【０００１】
本発明は、利用者が行う入力操作に応じて、入金取引、出金取引、振込取引等の取引を処理する取引処理装置に関する。
【背景技術】
【０００２】
従来、入金取引、出金取引、振込取引等の各種取引を行うことができる現金自動預け払い機（以下、単にＡＴＭと称す。）がある。ＡＴＭは、出金貨幣を取り出す貨幣取出口等を備えた正面パネルが装置前面に設けられている。貨幣取出口は、出金貨幣を一時的に貯留する貨幣貯留部の上方に設けられている。また、シャッタが貨幣取出口に設けられている。ＡＴＭは、取引処理の状態に応じてシャッタをスライドさせ、貨幣取出口の開閉を行っている。
【０００３】
こうしたＡＴＭは、屋外に設置されることがあり、雨が降ると、降った雨水がシャッタにたまる。シャッタにたまった雨水が、貨幣貯留部や装置内部に流れ込むと、貨幣搬送用のローラが濡れて紙幣搬送性能が低下してしまったり、電気部品の破損が起こったり、装置内部の鉄部品に錆が発生してしまったりする虞がある。
【０００４】
また、屋内に設置される場合でも、利用者が清涼飲料水等の液体をシャッタにこぼし、こぼした液体が上述の問題を引き起こす虞があった。そのため、特許文献１で見られるように、シャッタにたまった雨水や清涼飲料水等の液体が装置内部や貨幣貯留部に流れこまないようにした構成が提案されている。
【０００５】
特許文献１では、装置内部に排水路を設けている。液体がこの排水路に流れ込むことで、シャッタ上にたまらないようにしている。具体的には、シャッタが貨幣取出口を閉じた位置に位置しているとき、その下辺に沿って排水路を設けている。このとき、シャッタの下辺と貨幣取出口との間には隙間がある。液体はシャッタ上面からこの隙間を通り排水路に流れ込むので、シャッタ上に液体がたまらない。
【特許文献１】特開２００３−３０３３６６号公報
【発明の開示】
【発明が解決しようとする課題】
【０００６】
しかしながら、特許文献１で提案されている構成では、この隙間から塵や埃も排水路に入り込む。この入り込んだ塵や埃によって、排水路が詰まり、シャッタ上から流れ込んだ液体が排水路にたまってしまう。たまった液体が装置内部や貨幣貯留部に流れ込んでしまうと、上述した問題が起こる虞があった。
【０００７】
そこで、本発明の目的は液体が排水溝にたまりにくくし、信頼性を向上させた取引処理装置を提供することにある。
【課題を解決するための手段】
【０００８】
上記課題を解決するために、本発明は、以下の通りである。
【０００９】
出金貨幣貯留部は、その上面に取出口が設けられている。また、放出する出金貨幣を貯留する。
【００１０】
開閉制御部は、出金貨幣貯留部の取出口の上方に位置するシャッタを開位置と閉位置との間でスライドさせ、出金貨幣貯留部の取出口を開閉する。このシャッタの形状は、例えば、矩形形状や後端から先端に向かってその幅が狭くなる形状（例えば、台形や三角形）である。また、シャッタは、弾性体に当接する部位に溝が設けられていても良い。
【００１１】
排水溝は、出金貨幣貯留部の外側に設けられている。シャッタが閉位置に位置しているとき、排水溝の上方にシャッタの先端部が位置する。
【００１２】
弾性体は、シャッタが閉位置に位置しているとき、シャッタの周囲に沿って当接する位置に設けられている。弾性体は、例えば、シャッタが閉位置にあるとき、その後端の辺を除く各辺に沿って当接する位置に設けられていれば良い。また、弾性体は、シャッタが当接する辺の角部に隙間が設けられていても良い。
【００１３】
こうすることにより、シャッタが取出口を閉じた閉位置にあるとき、塵や埃が排水溝に入りにくくなり、排水溝の目詰まりが起こりにくくなる。そのため、排水溝に液体がたまりにくくなり、信頼性が向上する。
【００１４】
また、例えば、シャッタを閉位置から開位置までスライドさせるとき、所定の位置で一時停止させても良い。この一時停止させる時間は、例えば、外部から入力された降水量に係る情報を受け付け、この情報に基づいて決定すれば良い。また、シャッタを開するとき、前回シャッタが閉位置に来たときからの経過時間により、決定しても良い。
【００１５】
こうすることにより、シャッタ上にたまった液体は、一時停止位置で排水溝に流れ込む。排水溝に塵や埃が入り込んでいても、液体により洗い流されるため、排水溝がつまりにくくなる。
【発明の効果】
【００１６】
この発明によれば、排水溝に液体がたまりにくくなり、信頼性が向上する。
【発明を実施するための最良の形態】
【００１７】
以下、本発明に係る取引処理装置の実施形態について説明する。ここでは、現金自動預け払い機（以下、単にＡＴＭと称す。）を例にして説明する。なお、以下では、断面図において、その断面表記を省略している。
【００１８】
図１は、このＡＴＭの外観を示す概略図であり、図２は、ＡＴＭの主要部の構成を示すブロック図である。なお、図１において破線で示す構成は、装置内部にあることを意味している。
【００１９】
ＡＴＭ１は、利用者の入力操作に応じて、入金取引、出金取引、振込取引等の各種取引を処理する。ＡＴＭ１は、制御部２、紙幣処理部３、硬貨処理部４、カード処理部５、通帳処理部６、明細票処理部７、表示部８、操作部９、通信部１０、を備えている。
【００２０】
制御部２は、本体各部の動作を制御し、上述した各種取引処理や後述するシャッタの一時停止処理を行う。
【００２１】
紙幣処理部３は、取引に係る入金紙幣や出金紙幣を処理する。紙幣処理部３は、本体前面に設けた紙幣取出口３ａと、紙幣取出口３ａの下方に位置し、入金紙幣あるいは出金紙幣を一時的に貯留する略直方体の紙幣貯留部１３と、を備えている。紙幣貯留部１３は、シャッタ１３ａ、パッキン、排水溝が設けられている。紙幣貯留部１３に設けられているシャッタ１３ａ、パッキン、排水溝、の其々の詳細は後述する。また、紙幣処理部３は、紙幣貯留部１３と本体内部に設けられている紙幣カートリッジとの間で紙幣を搬送する紙幣搬送路を有している。この紙幣カートリッジは金種別に設けられている。また、紙幣の真偽や金種を鑑別する紙幣鑑別部が、紙幣搬送路の途中に設けられている。
【００２２】
硬貨処理部４は、取引に係る入金硬貨や出金硬貨を処理する。硬貨処理部４は、本体前面に設けた硬貨取出口４ａと、硬貨取出口４ａの下方に位置し、入金硬貨あるいは出金硬貨を一時的に貯留する略直方体の硬貨貯留部１４と、を備えている。硬貨貯留部１４は、紙幣貯留部１３と同様に、シャッタ、パッキン、排水溝が設けられている。また、硬貨貯留部１４と本体内部に設けられている硬貨カートリッジとの間で硬貨を搬送する硬貨搬送路を有している。この硬貨カートリッジは金種別に設けられている。また、硬貨の真偽や金種を鑑別する硬貨鑑別部が、硬貨搬送路の途中に設けられている。
【００２３】
カード処理部５は、本体前面に設けたカード投入口５ａに投入されたカードを取り込み、このカードの口座を示す口座番号等のカード情報を読み取る。また、カード処理部５は、取引が終了すると、カードをカード投入口５ａに放出する。
【００２４】
通帳処理部６は、本体前面に設けた通帳投入口６ａに投入された通帳を取り込み、この通帳に対する取引内容の印字等を行う。また、通帳処理部６は、取引内容を印字した通帳を通帳投入口６ａに放出する。
【００２５】
明細票処理部７は、取引内容を印字した明細票を本体前面に設けた明細票発行口７ａに放出する。
【００２６】
表示部８は、本体前面に設けた表示器８ａを有し、利用者に対する操作案内画面等を表示する。
【００２７】
操作部９は、表示器８ａの画面上に貼付したタッチパネル９ａや、図示していないテンキー等の入力デバイスを有し、利用者の入力操作を検知する。
【００２８】
通信部１０は、公衆回線や専用回線を介して、センタに設置されているホスト装置１１や外部装置との通信を行なう。
【００２９】
ホスト装置１１は、金融機関に開設されている口座毎に、その口座の管理に用いる管理情報（口座番号、預金残高、暗証番号、取引履歴等）を記憶している。
【００３０】
また、紙幣取出口３ａ、硬貨取出口４ａ、表示器８ａ、タッチパネル９ａが設けられている装置前面の正面パネルは、装置奥側から装置手前側に向かって下る傾斜形状である。この正面パネルの傾斜は，１３〜１４度程度である。
【００３１】
紙幣貯留部１３について説明する。図３は、紙幣貯留部１３の上面図である。
【００３２】
紙幣貯留部１３は、シャッタ１３ａ、パッキン２０〜２２、排水溝２３が設けられている。紙幣貯留部１３は、上方に紙幣取出口３ａが設けられている。
【００３３】
シャッタ１３ａは、矩形形状の板であり、紙幣貯留部１３の上方に配置されている。シャッタ１３ａは、紙幣取出口３ａを開する開位置と、紙幣取出口３ａを閉する閉位置と、の間の位置で矢示するＸＸ’方向に制御部２により制御されスライドする。シャッタ１３ａが閉位置と開位置との間でスライドする機構は、公知の機構であるため、簡単に説明する。シャッタ１３ａは、パッキン２０，２１に当接する左右両辺が図示していないガイドレールに取り付けられており、図示していないモータからの駆動力を受けて、このガイドレール上をＸＸ’方向にスライドする。シャッタ１３ａは、閉位置に位置しているとき、後端の辺以外の各辺に沿って設けられているパッキン２０〜２２に当接する。また、シャッタ１３ａが閉位置に位置しているとき、シャッタ１３ａの先端部は、排水溝２３の上方に位置している。なお、シャッタ１３ａをスライドさせる機構は他の方法であっても良い。
【００３４】
パッキン２０〜２２は、ゴム等の弾性体で形成され、其々が矩形形状である。パッキン２０〜２２は、シャッタ１３ａが閉位置に位置しているとき、その後端の辺以外の各辺に沿って当接する位置に設けられている。パッキン２０〜２２の上面は、正面パネルに密着している。なお、パッキン２０〜２２は、一体形成された一つのパッキンであっても良い。この場合、シャッタ１３ａが閉位置に位置しているとき、コの字形状にシャッタ１３ａの周囲を囲っていれば良い。
【００３５】
排水溝２３は、紙幣貯留部１３の外側でコの字形状に設けられており、側壁がパッキン２０〜２２の下面に密着している。
【００３６】
図４は、シャッタ１３ａの上面図及びその先端部の部分拡大図である。
【００３７】
シャッタ１３ａは、先端部の上面に溝が形成されている。この溝は、所定の長さと幅を有している。溝が形成されているシャッタ１３ａの先端部が、パッキン２２に当接するため、反発力が弱まり、シャッタ１３ａをスライドさせるモータの駆動力を抑えることができる。また、溝が形成されている部位と形成されていない部位とで、後述する一時停止位置で排水溝２３に流れ込む液体の速度が変化するので、後述するシャッタ１３ａ上にたまった液体が排水溝２３に流れやすくなる。
【００３８】
なお、溝は、シャッタ１３ａの先端部の下面に設けられていても良い。この場合でも、シャッタ１３ａをスライドさせるモータの駆動力を抑えることができる。また、溝は、シャッタ１３ａの左右の辺の下面や上面に設けられていても良い。この場合でも、シャッタ１３ａをスライドさせるモータの駆動力を抑えることができる。
【００３９】
図５は、紙幣貯留部１３のＡＡ’方向での、正面断面図である。
【００４０】
パッキン２０，２１は、上面が正面パネルに密着している。パッキン２０，２１は、下面に切り込み２０ａ，２１ａが形成されている。シャッタ１３ａは、パッキン２０，２１の変形部２０ｂ，２１ｂに当接する。シャッタ１３ａが当接するとき、変形部２０ｂは、切り込み２０ａに向かって変形し、変形部２１ｂは、切り込み２０ｂに向かって変形する。排水溝２３の外側の側壁２３ａ，２３ｂは、パッキン２０，２１の下面に密着している。パッキン２０，２１に切り込み２０ａ，２１ａを設けたことにより、シャッタ１３ａがスライドする時の摩擦力を弱めることができ、モータの駆動力を抑えることができる。
【００４１】
図６は、シャッタ１３ａが閉位置に位置しているときにおける、紙幣貯留部１３のＢＢ’方向での側面断面図である。
【００４２】
シャッタ１３ａの先端部は、パッキン２２に沿って当接する。このとき、シャッタ１３ａの先端部は、排水溝２３の上方に位置している。また、シャッタ１３ａの先端部の上方にある正面パネルの端部は、シャッタ１３ａに向かって屈曲した鉤部が形成されている。シャッタ１３ａの先端部は、パッキン２２の変形部２２ｂに当接する。
【００４３】
パッキン２２は、下面に切り込み２２ａが形成されている。シャッタ１３ａの先端部が当接する変形部２２ｂは、シャッタ１３ａが当接すると、切り込み２２ａに向かって変形する。
【００４４】
排水溝２３の外側の側壁２３ｃは、パッキン２２の下面に密着する。また、排水溝２３は、側壁２３ｃの下方に排水パイプ２４が設けられている。この排水パイプ２４は、ＡＴＭ１の外部までつながっている。
【００４５】
シャッタ１３ａの後端部は、その上面が正面パネルに密着する。この正面パネルは、光透過型センサ２６，２７（以下、単にセンサ２６，２７と称す。）の発光部２６ａ，２７ａが設けられている。また、発光部２６ａ，２７ａに対向する装置内部の位置に、発光部２６ａ，２７ａが発光する光を受光する受光部２６ｂ，２７ｂが設けられている。発光部２６ａ，２７ａからの光を受光部２６ｂ，２７ｂが受光しているとき、センサ２６，２７はオンの状態である。また、発光部２６ａ，２７ａからの光を受光部２６ｂ，２７ｂが受光していないとき、センサ２６，２７はオフの状態である。
【００４６】
センサ２６，２７からの信号により、制御部２は、後述するシャッタ１３ａの一時停止位置及び開位置を判断する。シャッタ１３ａの後端部が、センサ２６が設けられている第１のセンサ位置に到達すると、受光部２６ｂは、シャッタ１３ａにより発光部２６ａからの光を受光できなくなる。センサ２６がオンの状態からオフの状態に切り替わったタイミングを制御部２が検知すると、シャッタ１３ａが第１のセンサ位置に到達したことを判断する。また、シャッタ１３ａの後端部が、センサ２７が設けられている第２のセンサ位置に到達すると、受光部２７ｂは、シャッタ１３ａにより発光部２７ａからの光を受光できなくなる。センサ２７がオンの状態からオフの状態に切り替わったタイミングを制御部２が検知すると、シャッタ１３ａが第２のセンサ位置に到達したことを判断する。
【００４７】
なお、光透過型センサ以外のセンサを用いてシャッタ１３ａの位置を検出しても良いし、別の方法でシャッタ１３ａの位置を検出しても良い。例えば、反射型センサを設けシャッタ１３ａの位置を検出しても良いし、シャッタ１３ａをスライドさせるモータの回転数からシャッタ１３ａの位置を検出しても良い。
【００４８】
図７は、シャッタ１３ａが一時停止位置に位置しているときにおけるＢＢ’方向での側面断面図である。
【００４９】
変形部２２ｂは、反発力によりシャッタ１３ａの先端部に向かって変形する。シャッタ１３ａの先端部は、排水溝２３の側壁２３ｃに対向する側壁の上方に位置している。センサ２６が設けられている第１のセンサ位置は、シャッタ１３ａの後端部の位置がこの位置に来る場所に配置されている。
【００５０】
図８は、シャッタ１３ａが開位置に位置しているときにおけるＢＢ’方向での側面断面図である。
【００５１】
変形部２２ｂは、シャッタ１３ａが一時停止位置から開位置にスライドするまでの間に変形がなくなり、元の形状に戻る。センサ２７が設けられている第２のセンサ位置は、シャッタ１３ａの後端部の位置がこの位置に来る場所に配置されている。
【００５２】
なお、パッキン２０〜２２に排水溝の側壁２３ａ〜２３ｃを密着させているが、密着させずに、パッキン２０〜２２の外側で正面パネルに直接排水溝２３の側壁２３ａ〜２３ｃを取り付けても良い。この場合でも、シャッタ１３ａが閉位置に位置しているとき、パッキン２０〜２２により、排水溝２３に液体が流れ込まない。そのため、装置の信頼性が向上する。また、排水溝２３に塵や埃も入り込まない。そのため、排水溝２３の目詰まりが起こらない。
【００５３】
また、パッキン２０，２１を設けずとも良い。この場合、シャッタ１３ａが閉位置に位置しているとき、先端部がパッキン２２に当接し、シャッタ１３ａの左右の各辺は、例えば、装置本体に密着させておけばよい。このような構成にしても、シャッタ１３ａが閉位置に位置しているとき、排水溝２３に液体が流れ込まないので、排水溝２３から紙幣貯留部１３や装置本体内部に流れ込まない。そのため、装置の信頼性が向上する。また、排水溝２３に塵や埃が入り込まない。そのため、排水溝２３の目詰まりが起こらない。
【００５４】
次に、図９，図１０に基づいて、制御部２が行なうシャッタ１３ａの制御について説明する。
【００５５】
図９は、制御部２が行なう制御のフローチャートである。また、図１０は、制御部２がシャッタ１３ａをスライドさせた時の状態を示すＢＢ’方向での側面断面図である。
【００５６】
制御部２は、入金取引や出金取引や振込取引等の各種取引が開始されることを待っている（Ｓ１）。
【００５７】
図１０（Ａ）に示す通り、シャッタ１３ａが上述した閉位置に位置しているとき、シャッタ１３ａに降った雨水や利用者がこぼした清涼飲料水等の液体２８は、紙幣貯留部１３やＡＴＭ１内には流れ込まずシャッタ１３ａの先端部の上面に滞留する。シャッタ１３ａに滞留した液体２８は、正面パネルの傾斜によりシャッタ１３ａの先端部に向かって流れる。液体２８は、シャッタ１３ａの先端部が当接する変形部２２ｂで受け止められ、排水溝２３に流れこまない。また、パッキン２０，２１により、シャッタ１３ａの左辺及び右辺の下方に配置されている排水溝２３にも流れ込まない。また、シャッタ１３ａの後端部は正面パネルに密着しているため、シャッタ１３ａの後端部からも液体２８は、ＡＴＭ１内に入り込まない。取引が開始されると（Ｓ１のＹ）、制御部２は、シャッタ１３ａを開位置の方向へスライドさせる（Ｓ２）。制御部２は、シャッタ１３ａの後端部が上述したセンサ２６をオンの状態からオフの状態へと切り替えたかを判断する（Ｓ３）。シャッタ１３ａの後端部がセンサ２６の発光する光を遮蔽し、センサ２６の信号がオンからオフに切り替わったとき、制御部２はシャッタ１３ａの後端部が第１のセンサ位置に来たと判断し（Ｓ３のＹ）、シャッタ１３ａを一時停止させる（Ｓ４）。
【００５８】
図１０（Ｂ），（Ｃ）に示す通り、シャッタ１３ａが上述した一時停止位置に位置しているとき、シャッタ１３ａの先端部に滞留していた液体２８は、シャッタ１３ａと変形部２２ｂとの隙間から排水溝２３に向かって流れ込む。流れ込んだ液体２８は、側壁２３ｃの下方に設けられている排水パイプ２４を流れ、ＡＴＭ１外へ排水される。ステップＳ４において、制御部２がシャッタ１３ａを一時停止させる時間は、予め係員等が入力した降水量に係る情報に基づいて、制御部２が決定した時間である。制御部２は、降水量が多いときは、一時停止時間を長めに決定する（例えば、１ｓ，２ｓ）。また、制御部２は、降水量が少ないときは、一時停止時間を短めに決定する（例えば、０．４ｓ、０．２ｓ）。この一時停止時間は、シャッタ１３ａ上に滞留している液体２８を排水溝２３に流すための時間である。
【００５９】
なお、一時停止時間の決定は他の方法を用いても良い。例えば、通信部１０を介して外部装置から降水量に係る情報を受け付け、受け付けた降水量に係る情報により一時停止時間を決定しても良い。また、シャッタ１３ａを開するとき、前回シャッタが閉位置に来た時からの経過時間により、シャッタを一時停止させる時間を決定しても良い。この場合、経過時間が短い場合、シャッタ１３ａに滞留している液体の量は少ないと考えられるため、一時停止時間を短めに決定する。また、経過時間が長い場合、シャッタ１３ａ上に滞留している液体の量が多い場合が考えられるため、一時停止時間を長めに決定する。
【００６０】
制御部２は、一時停止時間を過ぎたと判断すると（Ｓ５のＹ）、シャッタ１３ａの後端部が上述したセンサ２７をオンの状態からオフの状態へと切り替えたかを判断する（Ｓ７）。
【００６１】
図１０（Ｄ）に示す通り、シャッタ１３ａの後端部がセンサ２７の発光する光を遮蔽し、センサ２７の信号がオンからオフに切り替わったとき、制御部２はシャッタ１３ａの後端部が第２のセンサ位置に来たと判断し（Ｓ７のＹ）、シャッタ１３ａのスライドを停止する（Ｓ８）。そして、取引が終了すると、制御部２は、シャッタ１３ａを閉位置にスライドさせる（Ｓ９）。
【００６２】
こうすることにより。シャッタ１３ａが閉位置に位置しているとき、シャッタ１３ａに滞留した雨水や利用者がこぼした清涼飲料水等の液体２８が排水溝２３に流れ込なまなくなる。そのため、液体２８が排水溝２３から紙幣貯留部１３や装置本体内部に流れ込まなくなり、貨幣搬送用のローラが濡れて紙幣搬送性能が低下してしまったり、電気部品の破損が起こったり、装置内部の鉄部品に錆が発生してしまったりすることがなくなる。したがって、装置の信頼性が向上する。また、排水溝２３に塵や埃が入り込むことがなくなるため、排水溝２３が詰まることがなくなる。
【００６３】
また、シャッタ１３ａが一時停止位置に位置しているとき、液体２８が排水溝２３に流れ込む。そのため、シャッタ１３ａが開するとき、滞留していた液体２８が紙幣貯留部１３や装置内部に流れ込まなくなるので、装置の信頼性が向上する。また、排水溝２３に入り込んだ塵や埃は、排水溝２３に流れ込んだ液体２８によりＡＴＭ１外部に洗い流される。
【００６４】
以下、シャッタ、パッキン、排水溝、の形状を変形した例について説明していく。なお、以下の説明では、上述した構成と同じ構成については同符号を付し、その詳細な説明は省略する。また、シャッタ１３ａの動作は、上述した動作と同じであるため、その詳細な説明は省略する。
【００６５】
パッキンの形状の一部を変更した例について説明する。
【００６６】
図１１は、紙幣貯留部１３の上面図である。紙幣貯留部１３は、シャッタ１３ａ、パッキン２０〜２２、排水溝２３が設けられている。
【００６７】
図１２は、紙幣貯留部１３のＣＣ’方向での、正面断面図である。パッキン２０，２１は、下面に切り込みが設けられておらず、シャッタ１３ａの側辺が密着する側面に切り込み２０ｃ，２１ｃが設けられている。この切り込み２０ｃ，２１ｃに沿って、シャッタ１３ａはスライドする。シャッタ１３ａが切り込み２０ｃ，２１ｃに沿ってスライドするため、パッキン２０，２１とシャッタ１３ａとによる密閉性がより高まる。
【００６８】
図１３は、シャッタ１３ａが閉位置に位置しているときにおける、紙幣貯留部１３のＤＤ’方向での側面断面図である。また、図１４は、シャッタ１３ａが開位置に位置しているときにおける、紙幣貯留部１３のＤＤ’方向での側面断面図である。シャッタ１３ａが閉位置に位置しているとき、シャッタ１３ａの先端部は、パッキン２２に密着する。シャッタ１３ａが密着するパッキン２２は、この部位に切り込み２２ｃが設けられている。シャッタ１３ａの先端部が切り込み２２ｃに当接するため、パッキン２２とシャッタ１３ａとによる密閉性がより高まる。
【００６９】
次に、シャッタ、排水溝、パッキンの形状を変更した例について説明する。
【００７０】
図１５は、紙幣貯留部１３の上面図である。図１５（Ａ）は、シャッタ３０が開位置に位置しているときの紙幣貯留部１３の上面図であり、図１５（Ｂ）は、シャッタ３０が一時停止位置に位置しているときの紙幣貯留部１３の上面図であり、図１５（Ｃ）は、シャッタ３０が開位置に位置しているときの紙幣貯留部１３の上面図である。
【００７１】
紙幣貯留部１３は、シャッタ３０、排水溝３１、パッキン３２〜３４が設けられている。排水溝３１は、排水溝２３と同様に排水パイプが設けられている。また、パッキン３２〜３４は、上述したパッキン２０〜２２と同様にその下面あるいはシャッタ１３ａの先端部が密着する側面に切り込みが設けられている。また、シャッタ３０、排水溝３１、パッキン３２〜３４の配置は、上述した配置関係と同様である。また、制御部２は上述した制御でシャッタ３０をスライドさせる。
【００７２】
紙幣貯留部１３は、その上方に後端から先端に向かってその幅が狭くなる紙幣取出口３ｂを有している。シャッタ３０は、板状で、後端から先端に向かってその幅が狭くなる形状であり、先端の辺が後端の辺よりも短い台形形状である。また、排水溝３１は、シャッタ３０が閉位置に位置しているとき、シャッタ３０の先端部は、排水溝３１の上方に位置している。また、シャッタ３０の左右の辺は排水溝３１の上方に位置している。また、パッキン３２〜３４は、其々矩形形状である。
【００７３】
シャッタ３０は、制御部２により制御され、紙幣取出口３ｂを開閉する。シャッタ３０が図１５（Ｃ）で示す閉位置に位置するとき、シャッタ３０の先端部は、パッキン３４に沿って当接し、シャッタ３０の左辺はパッキン３２に沿って当接し、シャッタ３０の右辺はパッキン３３に沿って当接する。そして、シャッタ３０が閉位置からスライドし、閉位置以外の位置にあるとき、例えば、シャッタ３０が一時停止位置に位置するときや、開位置に位置するときは、図１５（Ａ），（Ｂ）で示す通り、シャッタ３０の各辺はパッキン３２〜３４に当接しない。
【００７４】
このような構成では、シャッタ３０が閉位置に位置しているときだけ、シャッタ３０の各辺は周囲に設けられたパッキン３２〜３４に沿って当接するため、シャッタ３０はスライド時にパッキン３２〜３４からの摩擦力を受けなくなる。したがって、シャッタ３０を駆動させるモータの駆動力を抑えることができる。
【００７５】
なお、シャッタは、台形形状に限らず他の形状であっても良く、シャッタは後端から先端に向かってその幅が狭くなる形状であれば良い（例えば、三角形）。この場合、シャッタの形状に合わせて、パッキン、排水溝、紙幣取出口の形状も変更すればよい。
【００７６】
図１６は、図１５で示した構成において、パッキンの形状を一部変更した例を示す紙幣貯留部１３の上面図である。
【００７７】
図１６（Ａ）では、パッキン３２とパッキン３４の角部に隙間３５がある。また、パッキン３３とパッキン３４の角部に隙間３６がある。このように、隙間３５，３６があることにより、シャッタ３０上にたまった液体が少量だけ排水溝３１に流れ込む。そのため、排水溝３１にたまる塵や埃を洗い流すことができ、排水溝３１の目詰まりが起こりにくくなる。
【００７８】
また、図１６（Ｂ）では、パッキン３４の中央部付近にも隙間３７がある。こうすることで、少量の液体が排水溝３１に流れ込むことになり、排水溝３１にたまった塵や埃が、この液体により洗い流されやすくなる。
【００７９】
図１７では、図１６（Ａ），図１６（Ｂ）における隙間３５〜３７に対向するシャッタの先端部の位置に突起３５ａ〜３７ａを設けている。この突起３５ａ〜３７ａは、設けられている隙間３５〜３７の幅よりも小さな幅である。
【００８０】
こうすることにより、シャッタ３０が紙幣取出口３ｂを開閉するたび、突起３５ａ〜３７ａが隙間３５〜３７を往復するため、隙間３５〜３７に塵や埃がつまりにくくなる。
【００８１】
なお、二つの角部ではなく、一方の角部にだけ隙間があっても良い。この場合でも、同様の効果が得られる。また、角部以外の部位に隙間があっても良い。また、図３や図１１で示した構成に対してこの構成を設けても良い。また、パッキン３２，３３を設けずとも良い。この場合、シャッタ３０が閉位置に位置しているとき、先端部がパッキン３４に当接し、シャッタ３０の側辺は、例えば、装置本体に密着させる構成にしておけばよい。また、パッキン３２〜３４は一体形成された一つのパッキンであっても良い。
【００８２】
また、硬貨貯留部１４に設けられているパッキン、排水溝、シャッタは上述した紙幣貯留部１３に設けられているパッキン、排水溝、シャッタと同様の構成であるため其の詳細な説明は省略する。
【００８３】
また、この発明は、現金自動預け払い機だけでなく、入金取引、出金取引、振込取引等の取引を処理する取引処理装置（例えば、出金装置、現金自動払い機、紙葉類取扱装置）であれば適用できる。
【図面の簡単な説明】
【００８４】
【図１】ＡＴＭの外観を示す概略図である。
【図２】ＡＴＭの主要部の構成を示すブロック図である。
【図３】紙幣貯留部の正面図である。
【図４】シャッタの上面図及び先端部の部分拡大図である。
【図５】紙幣貯留部のＡＡ’方向での側面断面図である。
【図６】シャッタが閉位置に位置しているときにおける、紙幣貯留部のＢＢ’方向での側面断面図である。
【図７】シャッタが一時停止位置に位置しているときにおける、紙幣貯留部のＢＢ’方向での側面断面図である。
【図８】シャッタが開位置に位置しているときにおける、紙幣貯留部のＢＢ’方向での側面断面図である。
【図９】制御部がシャッタを開閉する制御を示すフローチャートである。
【図１０】シャッタの各位置に応じた紙幣貯留部のＢＢ’方向での側面断面図である。
【図１１】パッキンの形状を変化させた紙幣貯留部の上面図である。
【図１２】パッキンの形状を変化させた紙幣貯留部のＣＣ’方向での側面断面図である。
【図１３】シャッタが閉位置に位置しているときにおける、パッキンの形状を変化させた紙幣貯留部のＤＤ’方向での側面断面図である。
【図１４】シャッタが開位置に位置しているときにおける、パッキンの形状を変化させた紙幣貯留部のＤＤ’方向での側面断面図である。
【図１５】シャッタ、パッキン、排水溝の形状を変化させた紙幣貯留部の上面図である。
【図１６】パッキンの形状を変化させた紙幣貯留部の上面図である。
【図１７】シャッタの形状を変化させた紙幣貯留部の上面図である。
【符号の説明】
【００８５】
１−ＡＴＭ
２−制御部
３−紙幣処理部
３ａ，３ｂ−紙幣取出口
４−硬貨処理部
４ａ−硬貨取出口
５−カード処理部
５ａ−カード投入口
６−通帳処理部
６ａ−通帳投入口
７−明細票処理部
７ａ−明細票発行口
８−表示部
８ａ−表示器
９−操作部
９ａ−タッチパネル
１０−通信部
１１−ホスト装置
１３−紙幣貯留部
１３ａ，３０−シャッタ
１４−硬貨貯留部
２０〜２２，３２〜３４−パッキン
２０ａ〜２２ａ，２０ｃ〜２２ｃ−切り込み
２０ｂ〜２２ｂ−変形部
２３，３１−排水溝
２３ａ〜２３ｃ−側壁
２４−排水パイプ
２６，２７−光透過型センサ
２６ａ，２７ａ−発光部
２６ｂ，２７ｂ−受光部
２８−液体
３５〜３７−隙間
３５ａ〜３７ａ−突起
【図１】
0005039613.tif 000002
【図２】
0005039613.tif 000003
【図３】
0005039613.tif 000004
【図４】
0005039613.tif 000005
【図５】
0005039613.tif 000006
【図６】
0005039613.tif 000007
【図７】
0005039613.tif 000008
【図８】
0005039613.tif 000009
【図９】
0005039613.tif 000010
【図１０】
0005039613.tif 000011
【図１１】
0005039613.tif 000012
【図１２】
0005039613.tif 000013
【図１３】
0005039613.tif 000014
【図１４】
0005039613.tif 000015
【図１５】
0005039613.tif 000016
【図１６】
0005039613.tif 000017
【図１７】
0005039613.tif 000018